(57)【要約】【課題】簡素な構成で利用者の生体情報の秘匿性を十分に確保することができる便座システムを提供すること。【解決手段】便座システム１０において、制御装置１３は、センサ群１６によって検出された生体情報を一時的に記憶する一時記憶部１３ｂと、利用者Ｐが所有し、且つ、利用者Ｐによって認証された携帯端末装置であって生体情報を利用者Ｐの健康状態に関連する健康状態項目について解析する生体情報解析部２１ａを有する携帯端末装置２０に対して、一時記憶部１３ｂに一時的に記憶した生体情報を出力する出力部１３ｃと、一時記憶装置１３ｂ及び出力部１３ｃの作動を制御するコントローラ１３ａと、を備え、コントローラ１３ａは、出力部１３ｃが携帯端末装置２０に対して生体情報を出力する出力処理の実行後、一時記憶部１３ｂが一時的に記憶している生体情報を消去する消去処理を実行する、ように構成される。【選択図】図１
2019074328.tif 000002
【特許請求の範囲】
【請求項１】
トイレ室に設置された便器に設けられて利用者が排泄するときに利用する便座装置と、
前記便座装置の内部又は前記便座装置の外部に設けられて前記便座装置の各種機能を制御する制御装置と、前記利用者が前記便器に排泄物を排泄しているか否かを検出する排泄状態検出装置と、前記排泄物の状態を表す生体情報を検出する生体情報検出装置と、を備えた便座システムであって、
前記制御装置は、
前記生体情報検出装置によって検出された前記生体情報を一時的に記憶する一時記憶部と、
前記利用者が所有し、且つ、前記利用者によって認証された携帯端末装置であって前記生体情報を前記利用者の健康状態に関連する健康状態項目について解析する生体情報解析部を有する前記携帯端末装置に対して、前記一時記憶部に一時的に記憶した前記生体情報を出力する出力部と、
前記一時記憶部及び前記出力部の作動を制御するコントローラと、を備え、
前記コントローラは、
前記出力部が前記携帯端末装置に前記生体情報を出力する出力処理の実行後、前記一時記憶部が一時的に記憶している前記生体情報を消去する消去処理を実行する、ように構成された、便座システム。
【請求項２】
前記コントローラは、
前記出力処理の実行後、且つ、前記排泄状態検出装置によって前記利用者の排泄の終了が検出された後に、前記消去処理を実行する、請求項１に記載の便座システム。
【請求項３】
前記出力部は、
前記携帯端末装置との間に確立された近距離無線通信、又は、前記携帯端末装置によって識別可能な前記生体情報を表す識別子の表示を用いて、前記一時記憶部に一時的に記憶された前記生体情報を前記携帯端末装置に出力する、請求項１又は請求項２に記載の便座システム。
【請求項４】
前記トイレ室は、
公共の場所に設けられて、不特定多数が利用する公衆トイレ室である、請求項１乃至請求項３のうちの何れか一項に記載の便座システム。
【請求項５】
前記携帯端末装置は、
前記出力部から出力された前記生体情報を取得する生体情報取得部と、
前記生体情報解析部による解析結果に基づいて、前記利用者に健康を促す健康促進情報を提示する情報提示部と、を備えた、請求項１乃至請求項４のうちの何れか一項に記載の便座システム。
【請求項６】
前記携帯端末装置は、
外部と通信可能な外部通信部を有しており、
前記外部通信部を介して前記外部と通信して、前記健康状態項目及び前記生体情報解析部による解析方法を変更する、請求項１に記載の便座システム。
【請求項７】
前記生体情報解析部は、
前記生体情報と、前記利用者が飲食によって摂取したカロリ又は摂取量を表す摂取情報と、を比較して、前記健康状態項目について解析する、請求項５又は請求項６に記載の便座システム。
【請求項８】
前記摂取情報は、
前記携帯端末装置に設けられた撮像機能によって撮像された飲食物の画像情報、前記撮像機能によって読み込まれた前記飲食物のカロリ又は量を表す識別子情報、前記利用者が飲食した前記飲食物の内容を表すテキスト情報、及び、前記携帯端末装置に設けられた決済機能によって決済された前記飲食の決済情報のうちの少なくとも二つである、請求項７に記載の便座システム。
【請求項９】
前記便座装置は、
洗浄水を噴出して人体の局部を洗浄するノズル装置を有する温水洗浄便座である、請求項１乃至請求項８のうちの何れか一項に記載の便座システム。
【発明の詳細な説明】
【技術分野】
【０００１】
本発明は、便器に設置される便座システムに関する。
【背景技術】
【０００２】
従来から、例えば、下記特許文献１及び下記特許文献２に開示された生体情報測定システムが知られている。この従来の生体情報測定システムは、トイレ室に設置された大便器のボウル内に排出される排便ガスに基づいて被験者の体調を測定するものである。従来の生体情報測定システムは、便座に組み込まれて被験者によって排便ガスが排出されたボウル内の気体を吸引する吸引装置と、吸引装置によって吸引された気体を検出するガス検出装置と、を備えるとともに、トイレ室に設置されたリモコンに組み込まれてガス検出装置によって検出された検出データに基づいて被験者の体調を解析するデータ解析装置と、データ解析装置による解析結果を出力する出力装置と、を備えるようになっている。又、リモコンには、予め登録された被験者の名前等の被験者識別情報を用いて被験者を特定する被験者特定装置、及び、被験者の検出データを蓄積して記憶するデータベースの構築された記憶装置が設けられている。
【先行技術文献】
【特許文献】
【０００３】
【特許文献１】特開２０１６−１４２５８５号公報
【特許文献２】特開２０１７−９６８９０号公報
【発明の概要】
【発明が解決しようとする課題】
【０００４】
ところで、上記従来の生体情報測定システム（便座システム）は、トイレ室に設置されたデータ解析装置、出力装置、被験者特定装置及び記憶装置を用いて、検出データを解析したり、被験者（利用者）を特定したり、検出データを蓄積して記憶したりして、解析、認証、出力及び記憶機能の全てを完結するようになっている。このため、生体情報測定システム（便座システム）の構成が極めて複雑になる。
【０００５】
又、記憶装置に蓄積されて記憶される被験者（利用者）の検出データ（生体情報）は、秘匿が十分に確保されるべき個人情報に該当する。しかしながら、上記従来の生体情報測定システム（便座システム）では、記憶装置内に構築されたデータベースとして複数の被験者（利用者）の検出データ（生体情報）が蓄積されて記憶されており、他人が被験者特定装置を操作して特定の被験者（利用者）の名前を選択することにより記憶装置に記憶された特定の被験者（利用者）の検出データ（生体情報）を容易に縦覧することができる。従って、被験者（利用者）の検出データ（生体情報）の秘匿が十分に確保されない虞がある。
【０００６】
本発明は、上記課題を解決するためになされたものである。即ち、本発明の目的は、簡素な構成で利用者の生体情報の秘匿性を十分に確保することができる便座システムを提供することにある。
【課題を解決するための手段】
【０００７】
上記の課題を解決するため、請求項１に係る便座システムの発明は、トイレ室に設置された便器に設けられて利用者が排泄するときに利用する便座装置と、便座装置の内部又は便座装置の外部に設けられて便座装置の各種機能を制御する制御装置と、利用者が便器に排泄物を排泄しているか否かを検出する排泄状態検出装置と、排泄物の状態を表す生体情報を検出する生体情報検出装置と、を備えた便座システムであって、制御装置は、生体情報検出装置によって検出された生体情報を一時的に記憶する一時記憶部と、利用者が所有し、且つ、利用者によって認証された携帯端末装置であって生体情報を利用者の健康状態に関連する健康状態項目について解析する生体情報解析部を有する携帯端末装置に対して、一時記憶部に一時的に記憶した生体情報を出力する出力部と、一時記憶部及び出力部の作動を制御するコントローラと、を備え、コントローラは、出力部が携帯端末装置に生体情報を出力する出力処理の実行後、一時記憶部が一時的に記憶している生体情報を消去する消去処理を実行する、ように構成される。
【０００８】
これによれば、制御装置の出力部は、便座装置の側の生体情報検出装置によって検出されて一時記憶部に一時的に記憶された生体情報を、利用者によって所有且つ認証されて生体情報解析部を有する携帯端末装置に出力する。これにより、利用者の排泄物から得られる生体情報は、利用者によって所有され汎用性に優れた携帯端末装置に設けられた生体情報解析部によって解析されるため、便座装置の側に生体情報を解析する解析部を設ける場合に比べて、便座システムの構成を簡素化することができる。又、一時記憶部は、一時的に生体情報を記憶するのみであるため、大きな記憶容量を有する必要がなく、これによっても便座システムの構成を簡素化することができる。
【０００９】
更に、制御装置のコントローラは、出力部による携帯端末装置への生体情報の出力処理後、一時記憶部に一時的に記憶された利用者の生体情報を消去処理することができる。即ち、利用者の生体情報は、出力処理がなされることによって利用者が所有する携帯端末装置のみに存在し、消去処理がなされることによってトイレ室に設置された一時記憶部に存在することがない。これにより、他の利用者が便座システムを利用する際には、以前の利用者の生体情報は一時記憶部に記憶されておらず、従って、他の利用者は以前の利用者の生体情報を縦覧することが不能であり、利用者の個人情報に該当する生体情報の秘匿性を十分に確保することができる。
【図面の簡単な説明】
【００１０】
【図１】トイレ室に設置された便座システムの構成を示す構成図である。
【図２】図１の制御装置の構成を示す構成図である。
【図３】図１の便座本体の袖部に設けられた出力部を示す拡大図である。
【図４】図１の携帯端末装置の構成を示す構成図である。
【図５】図２のコントローラによって実行される生体情報出力プログラムのフローチャートである。
【図６】第一変形例及び第二変形例に係り、トイレ室に設置された便座システムの構成を示す構成図である。
【図７】第二変形例に係る出力部を説明するための図である。
【図８】第三変形例に係り、図２のコントローラによって実行される生体情報出力プログラムのフローチャートである。
【発明を実施するための形態】
【００１１】
以下、本発明の実施形態（以下、「本実施形態」と称呼する。）について図面を参照しながら説明する。尚、以下の実施形態及び変形例の相互において、互いに同一又は均等である部分には、図中、同一符号を付してある。又、説明に用いる各図は、概念図であり、各部の形状は必ずしも厳密なものではない場合がある。
【００１２】
便座システム１０は、家庭に設けられて特定多数が利用するトイレ室Ｔ及び公共の場所（例えば、ショッピングセンタや公園等）に設けられて不特定多数が利用する公衆トイレ室Ｔに設置可能である。本実施形態においては、公衆トイレ室Ｔに便座システム１０を設置した場合を説明する。
【００１３】
便座システム１０は、図１に示すように、便器として腰掛式便器１１の便座設置面１１ａに取り付けられた便座装置１２を備えている。便座装置１２は、便座本体１２ａと、利用者Ｐが着座又は離座する便座１２ｂと、便座１２ｂを覆う便蓋１２ｃと、を備えた温水洗浄便座である。
【００１４】
便座本体１２ａは、ケーシングの内部に収容された制御装置１３と、ノズル装置１４と、ノズル装置１４に温水の洗浄水を供給する洗浄水供給装置（図示省略）と、人体を乾燥する乾燥装置（図示省略）と、利用者Ｐが排泄物を排出しているか否かを検出する排泄状態検出装置として利用者Ｐが便座１２ｂに着座しているか離座しているかを検出する着座センサ１５と、利用者Ｐが排泄した排泄物から利用者Ｐの生体情報を検出する生体情報検出装置としての複数のセンサ群１６と、を備えている。
【００１５】
制御装置１３は、便座本体１２ａに設けられたノズル装置１４及び洗浄水供給装置等によって実現される便座本体１２ａの各種機能を制御する。制御装置１３は、図２に示すように、コントローラ１３ａと、一時記憶部１３ｂと、出力部１３ｃと、を備えている。コントローラ１３ａは、ＣＰＵ、ＲＯＭ、ＲＡＭ、タイマ及び各種インターフェース等を主要構成部品とするマイクロコンピュータである。そして、コントローラ１３ａ（より詳しくは、ＣＰＵ）は、後に詳述する生体情報出力プログラムを実行することによって一時記憶装置１３ｂ及び出力部１３ｃの作動を制御し、複数のセンサ群１６によって取得された利用者Ｐの生体情報を利用者Ｐが所有する携帯端末装置２０に出力する。
【００１６】
一時記憶部１３ｂは、複数のセンサ群１６によって検出された生体情報、より詳しくは、利用者Ｐが排泄した排泄物から検出される各種情報（各種データ）を一時的に記憶する。そして、一時記憶部１３ｂは、出力部１３ｃによって携帯端末装置２０に生体情報（各種情報（各種データ））が出力された後、一時的に記憶した生体情報（各種情報（各種データ））を消去する。尚、本実施形態においては、一時記憶部１３ｂを、コントローラ１３ａのインターフェースに接続されてコントローラ１３ａとは別体のメモリとして構成するが、コントローラ１３ａに一体に設けられたＲＡＭを用いることも可能である。
【００１７】
本実施形態において、出力部１３ｃは、携帯端末装置２０に対して、一時記憶部１３ｂに一時的に記憶された生体情報（各種情報（各種データ））を無線通信によって出力する。具体的に、出力部１３ｃは、図１及び図３に示すように、便座本体１２ａの袖部１２ａ１に設けられており、携帯端末装置２０との間で確立される近距離無線通信により生体情報を出力する。ここで、近距離無線通信としては、利用者Ｐ以外の人間が所有する携帯端末装置に対して利用者Ｐの生体情報が送信されないように、例えば、出力部１３ｃを中心に半径１０ｃｍ程度の領域内でのみ双方向通信が確立されるＮＦＣ(Near Field Communication)が採用される。具体的には、利用者Ｐによって携帯端末装置２０が出力部１３ｃに対してかざされることにより、暗号化された双方向無線通信が確立されるＦｅｌｉｃａ（登録商標）等を用いることができる。
【００１８】
ノズル装置１４は、人体の局部を洗浄するものであり、ノズル本体１４ａを備えている。ノズル本体１４ａは、ノズルベース（図示省略）によって摺動可能に支持されて、前方の収納位置と後方の洗浄位置との間を移動する。そして、利用者Ｐによって便座本体１２ａの袖部１２ａ１に設けられた作動スイッチが操作されることに応じて制御装置１３が作動信号を供給することにより、ノズル本体１４ａは、収納位置から洗浄位置まで移動し、洗浄水供給装置から供給される温水の洗浄水を噴出する。尚、ノズル装置１４の構成及び作動については、本発明に直接関係しないため、詳細な説明を省略する。
【００１９】
排泄状態検出装置としての着座センサ１５は、図１に示すように、利用者Ｐが排泄するために便座１２ｂに着座した際に、利用者Ｐの背面となる位置に設けられている。着座センサ１５は、例えば、光や音波を出射するとともに反射した光や音波を検出するようになっている。これにより、着座センサ１５は、排泄中の利用者Ｐが便座１２ｂに着座した着座状態（着座に近似した状態も含む）及び排泄を終了した利用者Ｐが便座１２ｂから離座した離座状態（離座に近似した状態も含む）を検出する。着座センサ１５は、図２に示すように、制御装置１３のコントローラ１３ａに接続されており、利用者Ｐの着座状態を表す着座信号及び利用者Ｐの離座状態を表す離座信号、換言すれば、利用者Ｐによる便座システム１０の利用状態を表す信号をコントローラ１３ａに出力するようになっている。
【００２０】
生体情報検出装置としてのセンサ群１６は、腰掛式便器１１及び便座装置１２に組み付けられている。センサ群１６は、例えば、利用者Ｐが排泄した排泄物から発せられる各種ガス（水素ガスや二酸化炭素、臭気性ガスであるアンモニアや硫化水素等）の濃度を検出するガス濃度センサ、排泄物の大きさや形、色を検出する画像センサ、排泄物の量を検出する水量センサや重量センサ等を含んで構成されている。センサ群１６は、図２に示すように、制御装置１３のコントローラ１３ａに接続されており、利用者Ｐの排泄物から検出された各種情報（各種データ）、換言すれば、排泄物から得られる利用者Ｐの生体情報（データ）をコントローラ１３ａに出力するようになっている。
【００２１】
携帯端末装置２０は、利用者Ｐが所有し、且つ、利用者Ｐによって認証されるものであり、例えば、利用者Ｐが所有する携帯電話（より具体的には、スマートフォン）やタブレット端末等である。携帯端末装置２０は、図４に示すように、制御部２１、生体情報取得部としての近距離無線通信部２２、記憶部２３、情報提示部としての表示部２４、外部通信部２５、認証部２６、カメラ部２７、入力部２８、及び、決済部２９を備えている。
【００２２】
制御部２１は、ＣＰＵ、ＲＯＭ、ＲＡＭ、タイマ及び各種インターフェース等を主要構成部品とするマイクロコンピュータである。コントローラ１３ａは、携帯端末装置２０の作動を統括的に制御する。制御部２１は、図４に示すように、生体情報解析部２１ａを備えている。生体情報解析部２１ａ（より詳しくは、制御部２１のＣＰＵ）は、記憶部２３に更新可能に予め記憶された生体情報解析アプリケーション（プログラム）を実行するものである。具体的に、生体情報解析部２１ａは、生体情報解析アプリケーションを実行することにより、便座装置１２から取得されて記憶部２３に記憶された利用者Ｐの生体情報を、後述するように、利用者Ｐの健康状態に関連する健康状態項目（摂取カロリ、便秘日数、日常の運動量等）について解析する。
【００２３】
近距離無線通信部２２は、制御部２１に接続されている。近距離無線通信部２２は、便座本体１２ａの袖部１２ａ１に設けられた制御装置１３の出力部１３ｃと近距離無線通信することにより、生体情報を取得する。ここで、近距離無線通信部２２も、出力部１３ｃから生体情報を無線通信により取得するため、ＮＦＣ（より具体的には、Ｆｅｌｉｃａ（登録商標））によって近距離無線通信する。これにより、利用者Ｐが携帯端末装置２０の近距離無線通信部２２を袖部１２ａ１に設けられた出力部１３ｃにかざすことで、出力部１３ｃと近距離無線通信部２２との間で双方向無線通信が確立される。従って、出力部１３ｃから送出される利用者Ｐの生体情報は、他人の携帯端末装置によって傍受（搾取）されることが防止され、セキュアな状態で便座装置１２（便座本体１２ａ）の側から利用者Ｐの携帯端末装置２０に出力されるとともに携帯端末装置２０によって取得される。
【００２４】
記憶部２３は、制御部２１に接続されている。記憶部２３は、近距離無線通信部２２によって取得された利用者Ｐの生体情報を記憶するとともに、生体情報解析部２１ａによって実行される生体情報解析アプリケーションを更新可能に記憶する。又、記憶部２３は、認証部２６が利用者Ｐを個人認証するための個人認証情報、カメラ部２７によって撮像された各種画像情報、入力部２８によって入力されたテキスト情報、及び、決済部２９によって決済された内容を表す決済情報等も記憶する。更に、記憶部２３は、利用者Ｐの日頃の運動状態、例えば、歩数を表す歩数データや運動に伴う消費カロリを表す消費カロリデータ等を蓄積して記憶する。
【００２５】
表示部２４は、制御部２１に接続されている。表示部２４は、液晶パネルや有機ＥＬパネル等を主要構成部品とするディスプレイであり、後述するように生体情報解析部２１ａによる解析結果に基づいて、健康促進情報を含む各種情報を利用者Ｐに表示する。
【００２６】
外部通信部２５は、制御部２１に接続されている。外部通信部２５は、例えば、インターネットや専用回線に接続して、外部に設けられたサーバ（図示省略）と携帯端末装置２０との相互通信を可能とするものである。外部通信部２５は、制御部２１による指示に従い、外部（サーバ）から最新の生体情報解析アプリケーションを取得（受信）したり、必要に応じて記憶部２３に記憶された利用者Ｐの生体情報を外部（サーバ）のデータベースに出力（送信）したりする。
【００２７】
認証部２６は、制御部２１に接続されている。認証部２６は、携帯端末装置２０の所有者である利用者Ｐを認証する。認証部２６は、利用者Ｐが携帯端末装置２０を使用する際に、記憶部２３に記憶された個人認証情報、例えば、利用者Ｐが予め設定したパスワードや利用者Ｐが予め登録した指紋等を用いて、利用者Ｐを個人認証する。
【００２８】
撮像機能を実現するカメラ部２７は、制御部２１に接続されており、撮像した画像の画像情報を記憶部２３に記憶する。ここで、画像情報には、利用者Ｐが飲食時に撮影した料理の画像情報、容器に添付されたラベルに記載された飲食物のカロリや量等を表す識別子（バーコード）を撮像した識別子情報が含まれる。
【００２９】
入力部２８は、制御部２１に接続されている。入力部２８は、例えば、表示部２４に表示されるソフトウェアキーボードや音声を入力するマイク等であり、利用者Ｐがテキスト情報を入力するようになっている。ここで、テキスト情報には、利用者Ｐが飲食した料理の内容を表すテキスト情報が含まれる。
【００３０】
更に、決済機能を実現する決済部２９は、制御部２１に接続されており、飲食を含む各種会計を電子的に決済するものである。決済部２９は、電子的な決済を完了すると、決済内容を決済情報として記憶部２３に記憶する。ここで、決済情報には、利用者Ｐが飲食した料理名或いは料理の内容を表す情報が含まれる。
【００３１】
このように構成された便座システム１０においては、制御装置１３のコントローラ１３ａは、図５に示す生体情報出力プログラムを実行する。以下、生体情報出力プログラムを説明する。
【００３２】
コントローラ１３ａ（より詳しくは、ＣＰＵ）は、所定の短い時間間隔により、ステップＳ１０にて生体情報出力プログラムを繰り返し実行している。続くステップＳ１１にて、コントローラ１３ａは、不特定多数の利用者のうち利用者Ｐが便座装置１２の便座１２ｂに着座して利用を開始したか否か、換言すれば、利用者Ｐが便座１２ｂに着座して排泄を開始したか否かを判定する。尚、説明の便宜上、不特定多数の利用者のうち利用者Ｐが利用する場合としているが、便座システム１０の利用に際しては、便座本体１２ａに設けられた制御装置１３のコントローラ１３ａは「特定の利用者Ｐ」を認識しない。
【００３３】
具体的に、ステップＳ１１において、コントローラ１３ａは、着座センサ１５から着座信号を入力していれば、利用者Ｐが便座１２ｂに着座して排泄を開始している（開始する）ため、「Ｙｅｓ」と判定してステップＳ１２に進む。一方、コントローラ１３ａは、ステップＳ１１にて、着座センサ１５から離座信号を入力していれば、誰も排泄していないため、「Ｎｏ」と判定して後述するステップＳ１５に進む。
【００３４】
ステップＳ１２においては、コントローラ１３ａは、利用者Ｐが腰掛式便器１１に排泄した排泄物から得られる生体情報を取得する。具体的に、コントローラ１３ａは、センサ群１６を構成するガス濃度センサから利用者Ｐが排泄した排泄物によって発せられる各種ガス（水素ガスや二酸化炭素、臭気性ガスであるアンモニアや硫化水素等）の濃度の情報（データ）、画像センサから排泄物の大きさや色の情報（データ）、或いは、水量センサや重量センサから排泄物の量の情報（データ）を取得する。そして、コントローラ１３ａは、センサ群１６から取得した各種情報（各種データ）を一時記憶部１３ｂに一時的に記憶し、ステップＳ１３に進む。
【００３５】
ステップＳ１３においては、コントローラ１３ａは、利用者Ｐが便座１２ｂから離座して利用を終了したか否か、換言すれば、利用者Ｐが便座１２ｂから離座して排泄を終了したか否かを判定する。具体的に、コントローラ１３ａは、ステップＳ１３において、着座センサ１５から継続して離座信号を入力していれば、利用者Ｐが便座１２ｂから離座して排泄を終了しているため、「Ｙｅｓ」と判定してステップＳ１５に進む。一方、コントローラ１３ａは、ステップＳ１３にて、着座センサ１５から継続して着座信号を入力していれば、利用者Ｐが便座１２ｂに着座した状態で排泄を継続しているため、「Ｎｏ」と判定してステップＳ１４に進む。
【００３６】
ステップＳ１４においては、コントローラ１３ａは、出力部１３ｃを介して、前記ステップＳ１２にて一時記憶部１３ｂに一時的に記憶している生体情報を、利用者Ｐが所持し且つ利用者Ｐによって認証された携帯端末装置２０に送信して出力する出力処理を実行する。即ち、コントローラ１３ａは、利用者Ｐが排泄を終了するまでの間、或いは、排泄を終了してから所定の時間が経過するまでの間において、出力部１３ｃに対し、一時記憶部１３ｂに一時的に記憶している生体情報を携帯端末装置２０に出力させる。
【００３７】
この場合、利用者Ｐは、自身が所有する携帯端末装置２０において個人認証して携帯端末装置２０を起動させるとともに近距離無線通信部２２を通信可能な状態にして、携帯端末装置２０の近距離無線通信部２２を袖部１２ａ１に設けられた出力部１３ｃにかざす。これにより、出力部１３ｃと近距離無線通信部２２との間で近距離無線通信が確立され、コントローラ１３ａは出力部１３ｃに対して一時記憶部１３ｂに一時的に記憶された生体情報の出力（送信）を指令する。出力部１３ｃは、コントローラ１３ａの指令に従い、生体情報を、近距離無線通信部２２を介して携帯端末装置２０に送信して出力する。
【００３８】
そして、コントローラ１３ａは、出力部１３ｃに対して一時記憶部１３ｂに一時的に記憶された生体情報の出力（送信）を指令すると、再び、前記ステップＳ１１に戻り、利用者Ｐが便座１２ｂに着座しているか否かを判定する。そして、利用者Ｐが便座１２ｂから離座して前記ステップＳ１３にて「Ｙｅｓ」と判定するまで、コントローラ１３ａは、前記ステップＳ１１から前記ステップＳ１４までの各ステップ処理を繰り返し実行する。尚、再び前記ステップＳ１１の判定ステップを実行した際に、利用者Ｐが便座１２ｂから離座していれば、上述したように、コントローラ１３ａは「Ｎｏ」と判定してステップＳ１５に進む。
【００３９】
コントローラ１３ａは、前記ステップＳ１１の判定ステップ処理において「Ｎｏ」と判定した場合、又は、前記ステップＳ１３の判定ステップ処理において「Ｙｅｓ」と判定した場合、即ち、利用者Ｐが便座１２ｂから離座しており、排泄がされていない或いは排泄が終了した場合には、ステップＳ１５を実行する。ステップＳ１５においては、コントローラ１３ａは、生体情報の取得を終了する。即ち、コントローラ１３ａは、センサ群１６から供給される各種情報（各種データ）の入力を終了し、利用者Ｐが排泄した排泄物から得られる各種情報（各種データ）を一時記憶部１３ｂに記憶させることを終了する。そして、コントローラ１３ａは、生体情報の取得を終了すると、ステップＳ１６に進む。
【００４０】
尚、コントローラ１３ａは、繰り返し実行する生体情報出力プログラムにおいて、同プログラムの実行開始後の最初の前記ステップＳ１１の判定ステップ処理にて「Ｎｏ」と判定する場合、即ち、誰も公衆トイレ室Ｔを利用していない場合、生体情報検出装置としてのセンサ群１６は何ら生体情報を取得していない。このため、この場合においても、コントローラ１３ａは、前記ステップＳ１５にて、センサ群１６からの生体情報の取得を終了した場合と同様に、センサ群１６から生体情報を何ら取得しない。従って、この場合においても、コントローラ１３ａは、一時記憶部１３ｂに各種情報（各種データ）を記憶させない。
【００４１】
ステップＳ１６においては、コントローラ１３ａは、一時記憶部１３ｂに一時的に記憶された各種情報（各種データ）、換言すれば、利用者Ｐの生体情報を消去する消去処理を実行する。即ち、利用者Ｐが排泄物を排泄した場合において、ステップＳ１６のステップ処理が実行されるのは、一時記憶部１３ｂに一時的に記憶された利用者Ｐの生体情報が出力部１３ｃによって携帯端末装置２０に出力処理された場合である。従って、コントローラ１３ａは、出力部１３ｃによる携帯端末装置２０への生体情報の出力処理後において、一時記憶部１３ｂに一時的に記憶された全ての情報（データ）を消去処理する。これにより、不特定多数が利用する公衆トイレ室Ｔにおいて、利用者Ｐの個人情報に該当し得る生体情報が出力可能な状態のまま、制御装置１３の一時記憶部１３ｂに残ることが確実に防止される。
【００４２】
コントローラ１３ａは、前記ステップＳ１６にて一時記憶部１３ｂに一時的に記憶された生体情報を消去処理すると、ステップＳ１７にて生体情報出力プログラムの実行を一旦終了する。そして、コントローラ１３ａは、所定の短い時間が経過すると、再び、ステップＳ１０にて生体情報出力プログラムの実行を開始する。
【００４３】
一方、利用者Ｐが所有する携帯端末装置２０においては、制御部２１が、近距離無線通信部２２により制御装置１３の出力部１３ｃから取得された利用者Ｐの生体情報（即ち、排泄物から得られた各種情報（各種データ））を記憶部２３に記憶させる。この場合、制御部２１は、例えば、取得した生体情報を日付順や時刻順に蓄積するように、記憶部２３に記憶させる。そして、制御部２１の生体情報解析部２１ａは、記憶部２３に記憶された生体情報解析アプリケーションを実行することにより、記憶部２３に記憶されている生体情報を解析して利用者Ｐに健康を促す健康促進情報を提示する。
【００４４】
生体情報解析部２１ａは、生体情報解析アプリケーションを実行する際に、生体情報に加えて、記憶部２３に記憶されている画像情報、テキスト情報及び決済情報のうちから利用者Ｐが飲食によって取得したカロリ又は摂取量を表す摂取情報を取得する。この場合、生体情報解析部２１ａは、カメラ部２７によって読み込まれた利用者Ｐが飲食した飲食物（料理）の画像情報や飲食物（料理）のカロリ又は量を表す識別子情報、入力部２８によって入力された飲食物（料理）の内容を表すテキスト情報、及び、決済部２９によって決済された飲食の決済情報のうちの少なくとも二つを摂取情報として取得する。
【００４５】
そして、生体情報解析部２１ａは、利用者Ｐの健康状態に関連する健康状態項目として、摂取カロリに関連する排泄物の量について解析する場合、例えば、生体情報のうちの排泄物の量に関連する情報と、摂取情報のうちの飲食物（料理）の画像情報から推定される利用者Ｐが摂取したカロリ及び量と、摂取情報のうちの飲食の決済情報から推定される利用者Ｐが飲食した時間と、を比較する。又、生体情報解析部２１ａは、記憶部２３に記憶されている利用者Ｐの日頃の運動量に関連する歩数データを参照する。これにより、生体情報解析部２１ａは、利用者Ｐが摂取した量に比べて排泄物の量が少なく、歩数データによって表される歩数がカロリを消費する目標歩数に対して少ないと解析した場合、表示部２４を利用して、利用者Ｐに「食べる量を減らして運動しましょう。」等の健康促進情報を提示（提案）する。
【００４６】
又、生体情報解析部２１ａは、健康状態項目として、便秘日数に関連する排泄間隔について解析する場合、例えば、生体情報のうちの排泄物の量及び排泄時刻に関連する情報と、摂取情報のうちの飲食物（料理）の画像情報から推定される利用者Ｐが摂取した量と、摂取情報のうちの飲食物（料理）のテキスト情報から推定される利用者Ｐが摂取した野菜の量と、を比較する。これにより、生体情報解析部２１ａは、利用者Ｐの排泄間隔が長いと解析した場合、表示部２４を利用して、利用者Ｐに「便秘気味なので野菜を食べましょう。」等の健康促進情報を提示（提案）する。
【００４７】
更に、生体情報解析部２１ａは、健康状態項目として、栄養バランスについて解析する場合、例えば、生体情報のうちの排泄物の臭気性ガスの濃度に関連する情報と、摂取情報のうちの飲食物（料理）の画像情報から推定される利用者Ｐが摂取した量と、摂取情報のうちのラベルに記載されたバーコードの識別子情報から推定される利用者Ｐが摂取した食品種別と、を比較する。これにより、生体情報解析部２１ａは、利用者Ｐの栄養バランスが偏っていると解析した場合、表示部２４を利用して、利用者Ｐに「栄養が偏り気味です。」等の健康促進情報を提示（提案）する。
【００４８】
ここで、生体情報解析部２１ａは、生体情報のみを用いて、健康状態項目について解析することも可能である。例えば、生体情報解析部２１ａは、健康状態項目として、排泄間隔について解析する場合、例えば、生体情報のうちの排泄物の量及び排泄時刻に関連する情報と、生体情報のうちの排泄物の大きさや形、色に関連する情報と、を解析する。これにより、生体情報解析部２１ａは、利用者Ｐの排泄間隔が長いと解析した場合、表示部２４を利用して、利用者Ｐに「便秘気味です。」等の健康促進情報を提示（提案）する。
【００４９】
以上の説明からも理解できるように、上記実施形態の便座システム１０は、トイレ室Ｔに設置された便器としての腰掛式便器１１に設けられて利用者Ｐが排泄するときに利用する便座装置１２と、便座装置１２の内部に設けられて便座装置１２の各種機能（ノズル装置１４等）を制御する制御装置１３と、利用者Ｐが腰掛式便器１１に排泄物を排泄しているか否かを検出する排泄状態検出装置としての着座センサ１５と、排泄物の状態を表す生体情報を検出する生体情報検出装置としてのセンサ群１６と、を備えた便座システムである。
【００５０】
この場合、トイレ室Ｔは、公共の場所に設けられて、不特定多数が利用する公衆トイレ室Ｔである。又、これらの場合、便座装置１２は、洗浄水を噴出して人体の局部を洗浄するノズル装置１４を有する温水洗浄便座である。
【００５１】
便座システム１０において、制御装置１３は、センサ群１６によって検出された生体情報を一時的に記憶する一時記憶部１３ｂと、着座センサ１５によって利用者Ｐの排泄が検出されているとき、利用者Ｐが所有し、且つ、利用者Ｐによって認証された携帯端末装置であって生体情報を利用者Ｐの健康状態に関連する健康状態項目について解析する生体情報解析部２１ａを有する携帯端末装置２０に対して、一時記憶部１３ｂに一時的に記憶した生体情報を出力する出力部１３ｃと、一時記憶部１３ｂ及び出力部１３ｃの作動を制御するコントローラ１３ａと、を備え、コントローラ１３ａは、出力部１３ｃが携帯端末装置２０に生体情報を出力する出力処理の実行後（ステップＳ１４）、一時記憶部１３ｂが一時的に記憶している生体情報を消去する消去処理（ステップＳ１６）を実行する、ように構成される。
【００５２】
これによれば、制御装置１３の出力部１３ｃは、便座装置１２（便座本体１２ａ）の側のセンサ群１６によって検出されて一時記憶部１３ｂに一時的に記憶された各種情報（各種データ）即ち生体情報を、利用者Ｐによって所有且つ認証されて生体情報解析部２１ａを有する携帯端末装置２０に出力する。これにより、利用者Ｐの排泄物から得られる生体情報（各種情報（各種データ））は、利用者Ｐによって所有され汎用性に優れた携帯端末装置２０に設けられた生体情報解析部２１ａによって解析されるため、便座装置１２（便座本体１２ａ）の側に生体情報を解析する解析部を設ける場合に比べて、便座システム１０の構成を簡素化することができる。又、一時記憶部１３ｂは、一時的に生体情報（各種情報（各種データ））を記憶するのみであるため、大きな記憶容量を有する必要がなく、これによっても便座システム１０の構成を簡素化することができる。
【００５３】
更に、コントローラ１３ａは、出力部１３ｃによる携帯端末装置２０への生体情報（各種情報（各種データ））の出力処理後、一時記憶部１３ｂに一時的に記憶された利用者Ｐの生体情報（各種情報（各種データ））を消去処理することができる。即ち、利用者Ｐの生体情報（各種情報（各種データ））は、出力処理が実行されることによって利用者Ｐが所有する携帯端末装置２０のみに存在し、消去処理が実行されることによってトイレ室Ｔ特に公衆トイレ室Ｔに設置された一時記憶部１３ｂに存在することがない。これにより、他の利用者が便座システム１０を利用する際には、以前の利用者Ｐの生体情報（各種情報（各種データ））は一時記憶部１３ｂに記憶されておらず、従って、他の利用者は以前の利用者Ｐの生体情報（各種情報（各種データ））を縦覧することが不能であり、利用者Ｐの個人情報に該当する生体情報（各種情報（各種データ））の秘匿性を十分に確保することができる。
【００５４】
これらの場合、コントローラ１３ａは、出力部１３ｃの出力処理の実行後（ステップＳ１４）、且つ、着座センサ１５によって利用者Ｐの排泄の終了が検出された後（ステップＳ１３）に、一時記憶部１３ｂに一時的に記憶した生体情報の消去処理を実行（ステップＳ１６）する。
【００５５】
これによれば、コントローラ１３ａは、利用者Ｐが排泄を終了するまでに、出力部１３ｃによって利用者Ｐが所有する携帯端末装置２０に生体情報（各種情報（各種データ））を全て出力した後、一時記憶部１３ｂに一時的に記憶された生体情報（各種情報（各種データ））を確実に消去することができる。従って、利用者Ｐの個人情報に該当する生体情報（各種情報（各種データ））を有効に利用することができるとともに、生体情報（各種情報（各種データ））の秘匿性を確実に且つ十分に確保することができる。
【００５６】
又、これらの場合、出力部１３ｃは、携帯端末装置２０との間に確立された近距離無線通信を用いて、一時記憶部１３ｂに一時的に記憶された生体情報を携帯端末装置２０に出力する。
【００５７】
これによれば、極近距離で通信が確立される近距離無線通信を用いて、出力部１３ｃと携帯端末装置２０とは、利用者Ｐの生体情報を送受信することができる。これにより、例えば、他のトイレ室Ｔ（公衆トイレ室Ｔ）を利用している他の利用者が所有する携帯端末装置に対して、利用者Ｐの生体情報（各種情報（各種データ））が混線により誤って送信されたり、他の利用者が意図的に利用者Ｐの生体情報（各種情報（各種データ））を搾取したりすることを適切に防止することができる。従って、利用者Ｐの個人情報に該当する生体情報（各種情報（各種データ））の秘匿性を確実に且つ十分に確保することができる。
【００５８】
又、利用者Ｐによって予め認証された携帯端末装置２０に対してのみ、出力部１３ｃは生体情報（各種情報（各種データ））を出力することができる。このため、利用者Ｐは、便座装置１２（便座本体１２ａ）の側の制御装置１３に対して、利用者Ｐを特定する（認証する）ための登録を予め行う必要がなく、極めて容易に生体情報（各種情報（各種データ））を取得することができる。又、便座装置１２（便座本体１２ａ）の側に利用者Ｐを特定する（認証する）ための機能を設ける必要がないため、便座システム１０の構成を簡素化することができる。
【００５９】
更に、予め規格化された近距離無線通信を用いることにより、例えば、メーカの異なる便座システム１０（便座装置１２）を利用する場合であっても、利用者Ｐは携帯端末装置２０を利用することにより生体情報（各種情報（各種データ））を容易に取得することができる。従って、自宅のトイレ室Ｔに設置された便座装置１２（便座本体１２ａ）から生体情報（各種情報（各種データ））を取得できることはもちろんのこと、公共の場所における公衆トイレ室Ｔに設置された便座装置１２（便座本体１２ａ）からも適切に秘匿性が確保された状態で生体情報（各種情報（各種データ））を取得できる。従って、携帯端末装置２０の生体情報解析部２１ａは利用者Ｐの生体情報（各種情報（各種データ））を継続的に取得して解析することが可能であり、利用者Ｐの利便性を大幅に向上させることができる。
【００６０】
又、これらの場合、携帯端末装置２０は、出力部１３ｃから出力された生体情報を取得する生体情報取得部としての近距離無線通信部２２と、生体情報解析部２１ａによる解析結果に基づいて、利用者Ｐに健康を促す健康促進情報を提示する情報提示部としての表示部２４と、を備える。
【００６１】
これによれば、利用者Ｐが所有する携帯端末装置２０から利用者Ｐに健康促進情報（例えば、運動不足気味や便秘気味等を知らせる情報）を提示することができる。従って、利用者Ｐは、いつでも自身の健康に関連する健康促進情報を極めて容易に確認することができ、良好な利便性を得ることができる。
【００６２】
又、これらの場合、携帯端末装置２０は、外部（例えば、サーバ等）と通信可能な外部通信部２５を有しており、外部通信部２５を介して外部と通信して、健康状態項目及び生体情報解析部２１ａによる解析方法を変更することができる。
【００６３】
これによれば、利用者Ｐは、携帯端末装置２０の外部通信部２５を利用して外部と通信することができ、例えば、自身に必要な健康状態項目を任意に設定したり、生体情報解析部２１ａが用いる解析方法を最新の解析方法に更新したり追加したりして変更することができる。これにより、生体情報解析部２１ａは、柔軟性を有して生体情報（各種情報（各種データ））を解析することができ、利用者Ｐのニーズに応じて解析した結果を健康促進情報として利用者Ｐに提示することができる。
【００６４】
これらの場合、生体情報解析部２１ａは、生体情報と、利用者Ｐが飲食によって摂取したカロリ又は摂取量を表す摂取情報と、を比較して、健康状態項目について解析することができる。この場合、摂取情報は、携帯端末装置２０に設けられたカメラ部２７の撮像機能によって撮像された飲食物の画像情報、前記撮像機能によって読み込まれた前記飲食物のカロリ又は量を表す識別子情報、利用者Ｐが携帯端末装置２０の入力部２８から入力した飲食物の内容を表すテキスト情報、及び、携帯端末装置２０に設けられた決済部２９の決済機能によって決済された飲食の決済情報、のうちの少なくとも二つとすることができる。
【００６５】
これらによれば、生体情報解析部２１ａは、表示部２４を介して、利用者Ｐの日常生活に即した健康促進情報を提示することができる。従って、生体情報解析部２１ａは、利用者Ｐにとって役立つ健康促進情報を提供することができる。
【００６６】
（第一変形例）
上記実施形態においては、出力部１３ｃが便座本体１２ａの袖部１２ａ１に設けられており、利用者Ｐの所有する携帯端末装置２０の近距離無線通信部２２を出力部１３ｃに対してかざすことによって近距離無線通信を確立し、コントローラ１３ａが生体情報を携帯端末装置２０に出力するようにした。これに代えて、図６に示すように、トイレ室Ｔ（公衆トイレ室Ｔ）の室内に、便座システム１０が便座装置１２（便座本体１２ａ）とは別体とされた（具体的には、便座本体１２ａの外部に設けられた）リモコン１７が設置される場合には、出力部１３ｃをリモコン１７に設けることも可能である。ここで、リモコン１７は、便座装置１２（便座本体１２ａ）の側に設けられた制御装置１３と通信可能に接続されている。
【００６７】
この場合には、利用者Ｐは、例えば、便座１２ｂに着座した状態で、携帯端末装置２０の近距離無線通信部２２をリモコン１７に設けられた出力部１３ｃに対してかざす。これにより、上記実施形態と同様に、出力部１３ｃと近距離無線通信部２２との間に近距離無線通信が確立され、利用者Ｐが便座１２ｂから離座するまでに生体情報が出力部１３ｃから近距離無線通信部２２に出力（送信）される。
【００６８】
そして、この第一変形例においても、上記実施形態と同様に、制御装置１３のコントローラ１３ａは、利用者Ｐが便座１２ｂから離座した後、一時記憶部１３ｂに一時的に記憶された各種情報（各種データ）即ち生体情報を消去する。従って、この第一変形例においても、上記実施形態と同様の効果が得られる。
【００６９】
（第二変形例）
上記実施形態及び上記第一変形例においては、近距離無線通信により、出力部１３ｃが生体情報を携帯端末装置２０の近距離無線通信部２２を介して出力（送信）するようにした。ところで、上記第一変形例のように、トイレ室Ｔ（公衆トイレ室Ｔ）に設置されるリモコン１７は、図７に示すように、液晶表示部１７ａを有する場合がある。このように、リモコン１７が液晶表示部１７ａを有する場合には、近距離無線通信により生体情報を出力（送信）することに代えて、出力部１３ｃが液晶表示部１７ａに生体情報を表す識別子を出力して表示させ、携帯端末装置２０のカメラ部２７が識別子を撮像することによって生体情報を取得するようにすることも可能である。
【００７０】
この場合、コントローラ１３ａは、上記実施形態及び上記第一変形例と同様に、センサ群１６によって検出された各種情報（各種データ）を一時記憶部１３ｂに一時的に記憶する。そして、コントローラ１３ａは、一時記憶部１３ｂに一時的に記憶された各種情報（各種データ）即ち生体情報を、周知の方法を用いて、携帯端末装置２０の制御部２１が識別可能な識別子として、例えば、ＱＲコード（登録商標）又はバーコードに変換する。コントローラ１３ａは、出力部１３ｃに対して、生体情報を変換したＱＲコード（登録商標）又はバーコードをリモコン１７の液晶表示部１７ａに表示するように指令する。
【００７１】
これにより、出力部１３ｃは、図７に示すように、リモコン１７の液晶表示部１７ａに識別子（図７においては、ＱＲコード（登録商標））を表示させる。この場合、出力部１３ｃは、液晶表示部１７ａに識別子を表示させることを利用者Ｐに報知するために、例えば、報知音を発生させたり液晶表示部１７ａにメッセージを表示させたりすることができる。
【００７２】
利用者Ｐは、携帯端末装置２０のカメラ部２７を利用して、リモコン１７の液晶表示部１７ａに表示されたＱＲコード（登録商標）を撮像することによって読み取る。これにより、携帯端末装置２０の制御部２１は、カメラ部２７が撮像したＱＲコード（登録商標）を生体情報即ち各種情報（各種データ）に変換し、変換した生体情報即ち各種情報（各種データ）を記憶部２３に記憶する。
【００７３】
そして、この第二変形例においても、上記実施形態と同様に、制御装置１３のコントローラ１３ａは、利用者Ｐが便座１２ｂから離座した後、一時記憶部１３ｂに一時的に記憶された各種情報（各種データ）即ち生体情報を消去する。これにより、この第二変形例においても、上記実施形態と同様の効果が得られる。
【００７４】
このように、この第二変形例においては、制御装置１３の出力部１３ｃは、携帯端末装置２０によって識別可能な生体情報を表す識別子であるＱＲコード（登録商標）又はバーコードの表示を用いて、一時記憶部１３ｂに一時的に記憶された生体情報を携帯端末装置２０に出力することができる。そして、この第二変形例においては、携帯端末装置２０の生体情報取得部がカメラ部２７となる。従って、この第二変形例においても、利用者Ｐの生体情報は、利用者Ｐが所有する携帯端末装置２０に対してのみ秘匿性を十分に確保した状態で確実に出力される。尚、液晶表示部１７ａに表示された識別子は、例えば、生体情報の消去に伴って消去されることは言うまでもない。
【００７５】
（第三変形例）
上記実施形態及び上記各変形例においては、コントローラ１３ａは、図５に示す生体情報出力プログラムを実行して、利用者Ｐが便座装置１２を利用している（即ち、排便している）ときに一時記憶部１３ｂに一時的に記憶された生体情報を出力処理し、利用者Ｐが便座１２ｂから離座した後に一時記憶部１３ｂが記憶している生体情報を消去処理するようにした。これに代えて、図８に示すように、図５の生体情報出力プログラムにおける前記ステップＳ１１及び前記ステップＳ１３を省略して、利用者Ｐが便座１２ｂに着座又は離座しているか否かに拘わらず、コントローラ１３ａが生体情報の出力処理後、一時記憶部１３ｂに一時的に記憶された生体情報を消去処理することも可能である。
【００７６】
この第三変形例においては、図８に示すように、コントローラ１３ａは、ステップＳ１００にて生体情報出力プログラムの実行を開始し、ステップＳ１１０にて、前記ステップＳ１２と同様に、利用者Ｐの生体情報（各種情報（各種データ））を取得して一時記憶部１３ｂに生体情報（各種情報（各種データ））を一時的に記憶する。続くステップＳ１２０にて、コントローラ１３ａは、前記ステップＳ１５と同様に、生体情報の取得を終了して一時記憶部１３ｂへの生体情報（各種情報（各種データ））の記憶を終了して、ステップＳ１３０に進む。
【００７７】
ステップＳ１３０においては、コントローラ１３ａは、前記ステップＳ１４と同様に、一時記憶部１３ｂに一時的に記憶された利用者Ｐの生体情報を携帯端末装置２０に送信して又はリモコン１７の液晶表示部１７ａにＱＲコード（登録商標）を表示させて出力処理する。そして、コントローラ１３ａは、続くステップＳ１４０にて、前記ステップＳ１６と同様に、出力部１３ｃによる生体情報の出力処理後、一時記憶部１３ｂに一時的に記憶された生体情報を消去処理する。
【００７８】
これにより、例えば、センサ群１６のそれぞれのセンサから個々の情報（データ）が順次に取得される場合、コントローラ１３ａは、取得した個々の情報（データ）を順次出力処理する毎に消去処理することができる。従って、この第三変形例においても、上記実施形態及び上記各変形例と同様の効果が得られる。
【００７９】
本発明の実施にあたっては、上記実施形態及び上記各変形例に限定されるものではなく、本発明の目的を逸脱しない限りにおいて種々の変形が可能である。
【００８０】
例えば、上記実施形態、上記第一変形例及び上記第二変形例においては、利用者Ｐが便座装置１２の便座１２ｂから離座した後、より具体的には、コントローラ１３ａが着座センサ１５から離座信号を入力した後に、コントローラ１３ａは、一時記憶部１３ｂに一時的に記憶された各種情報（各種データ）即ち生体情報を消去するようにした。この場合、出力部１３ｃと近距離無線通信部２２との間の近距離無線通信において、携帯端末装置２０の制御部２１が生体情報の取得を完了したときに取得が完了したことを表す取得完了情報を制御装置１３のコントローラ１３ａに出力するようにすることも可能である。これにより、コントローラ１３ａは、利用者Ｐが便座１２ｂから離座したか否かに加えて、又は、代えて、取得完了情報を取得した後に一時記憶部１３ｂに一時的に記憶された生体情報を確実に消去することが可能となる。従って、この場合においても、上記実施形態及び上記各変形例と同様の効果が得られるとともに生体情報の携帯端末装置２０への出力（送信）漏れを防止して生体情報を有効に利用することができる。
【００８１】
又、上記実施形態、上記第一変形例及び上記第二変形例においては、利用者Ｐが腰掛式便器１１に排泄物を排泄しているか否かを検出する排泄状態検出装置として着座センサ１５を用いるようにした。そして、コントローラ１３ａは、着座センサ１５から着座信号を入力し、その後に、離座信号を入力するまで、利用者Ｐが排泄していると判定するようにした。即ち、上記実施形態及び上記各変形例においては、利用者Ｐが便座装置１２の便座１２ｂに着座することを前提とするようにした。
【００８２】
ところで、特に、利用者Ｐが男性の場合、腰掛式便器１１（便座装置１２）の正面に立った状態で小便を排泄する場合がある。この場合、着座センサ１５は、例えば、光や音波を出射することができる。従って、着座センサ１５は、腰掛式便器１１（便座装置１２）の正面に立った利用者Ｐから反射した光や音波を検出することにより、立った状態の利用者Ｐが腰掛式便器１１（便座装置１２）の正面に位置しているか否か、即ち、小便の排泄状態を検出することも可能である。
【００８３】
これにより、利用者Ｐが立った状態で腰掛式便器１１を利用して小便を排泄する場合には着座センサ１５から着座信号に相当する信号がコントローラ１３ａに出力されるため、コントローラ１３ａは、上記実施形態及び上記各変形例と同様に、利用者Ｐの生体情報を検出して携帯端末装置２０に出力することができる。そして、利用者Ｐが排泄を終了して腰掛式便器１１（便座装置１２）の正面から離れた場合には着座センサ１５から離座信号に相当する信号がコントローラ１３ａに出力されるため、コントローラ１３ａは、上記実施形態及び上記各変形例と同様に、一時記憶部１３ｂに一時的に記憶された生体情報を消去することができる。従って、この場合においても、上記実施形態及び上記各変形例と同様の効果が得られる。
【００８４】
又、上記実施形態、上記第一変形例及び上記第二変形例においては、排泄状態検出装置として便座装置１２の便座本体１２ａに設けられた着座センサ１５を用いるようにした。これに代えて、例えば、トイレ室Ｔ（公衆トイレ室Ｔ）に設置されてコントローラ１３ａと接続された人感センサやカメラを用いて、利用者Ｐの排泄状態を検出することも可能である。
【００８５】
又、上記各変形例においては、制御装置１３が便座装置１２（より具体的には、便座本体１２ａのケーシングの内部）に設けられるようにした。これに代えて、制御装置１３をリモコン１７の内部に設けることも可能である。
【００８６】
又、上記実施形態、上記第一変形例及び上記第二変形例においては、コントローラ１３ａは、着座センサ１５から離座情報を取得した後に一時記憶部１３ｂに一時的に記憶された生体情報を消去するようにした。これに代えて、又は、加えて、コントローラ１３ａが、例えば、ノズル装置１４を作動させるための操作スイッチが利用者Ｐによって押下されたことを表す信号を入力した後や、腰掛式便器１１から排泄物を流し出す操作がなされた後に、一時記憶部１３ｂに一時的に記憶された生体情報を消去するようにすることも可能である。これにより、例えば、着座センサ１５に故障が生じ、コントローラ１３ａが適切に離座情報を取得できない状況であっても、一時記憶部１３ｂに一時的に記憶された生体情報を確実に消去することができる。従って、個人情報である生体情報の秘匿性をより確実に且つ十分に確保することができる。
【００８７】
更に、上記実施形態及び上記各変形例においては、携帯端末装置２０の制御部２１が生体情報解析部２１ａを有し、生体情報を解析するようにした。これに代えて、携帯端末装置２０が記憶部２３に記憶した各種情報（各種データ）即ち生体情報を、外部通信部２５を介して外部に設けられたサーバに送信し、サーバが生体情報を解析することも可能である。そして、この場合には、外部のサーバは、上記実施形態及び上記各変形例と同様に、利用者Ｐの健康状態項目について生体情報を解析し、解析した結果を携帯端末装置２０に送信することができる。従って、この場合においても、上記実施形態及び上記各変形例と同様の効果が期待できる。尚、携帯端末装置２０が外部通信部２５を介して外部のサーバと通信する場合、携帯端末装置２０とサーバとが互いに認証することにより、利用者Ｐの生体情報の秘匿性が十分に確保される。
【符号の説明】
【００８８】
１０…便座システム、１１…腰掛式便器（便器）、１１ａ…便座設置面、１２…便座装置、１２ａ…便座本体、１２ａ１…袖部、１２ｂ…便座、１２ｃ…便蓋、１３…制御装置、１３ａ…コントローラ、１３ｂ…一時記憶部、１３ｃ…出力部、１４…ノズル装置、１４ａ…ノズル本体、１５…着座センサ（排泄状態検出装置）、１６…センサ群（生体情報検出装置）、１７…リモコン、１７ａ…液晶表示部、２０…携帯端末装置、２１…制御部、２１ａ…生体情報解析部、２２…近距離無線通信部（生体情報取得部）、２３…記憶部、２４…表示部（情報提示部）、２５…外部通信部、２６…認証部、２７…カメラ部（撮像機能）、２８…入力部、２９…決済部（決済機能）、Ｐ…利用者、Ｐ１…洗浄位置、Ｐ２…収納位置、Ｔ…公衆トイレ室（トイレ室）
【図１】
2019074328.tif 000003
【図２】
2019074328.tif 000004
【図３】
2019074328.tif 000005
【図４】
2019074328.tif 000006
【図５】
2019074328.tif 000007
【図６】
2019074328.tif 000008
【図７】
2019074328.tif 000009
【図８】
2019074328.tif 000010